【事件の表示】
　平成　４年特許願第２５１５９８号「光演算処理装置」拒絶査定不服審判事件〔平成　６年　４月１５日出願公開、特開平　６−１０２９５１〕について、次のとおり審決する。
【結　論】
　本件審判の請求は、成り立たない。
【理　由】
１．手続の経緯、本願発明
　
　本願は、平成４年９月２１日の出願であって、請求項１に係る発明（以下、「本願発明」という。）は、平成１３年４月１９日付け、及び平成１６年１１月８日付けの手続補正により補正された明細書及び図面の記載からみて、その特許請求の範囲の請求項１に記載された次の事項により特定されるものと認める。
　
　「【請求項１】　複数の絵素と各絵素を駆動するためのアクティブ素子とがマトリクス状に設けられ、該アクティブ素子に信号を送る走査線および信号線が配線されていると共に、該アクティブ素子に絵素電極と並列又は直列に光感応素子が設けられ、更に外部からの該光感応素子への光照射により走査線および信号線に生じる信号の変化を検出する検出回路が設けられ、該検出回路で検出した信号に基づいた演算結果情報である光透過量で該当する絵素にカラー表示を行わせる液晶出力装置を有し、
　該液晶出力装置の表示画面とは反対側に、２以上のアクティブマトリクス液晶表示装置と光源とが液晶出力装置からこの順に配され、かつ、該アクティブマトリクス液晶表示装置がその各絵素を該液晶出力装置の各絵素に重なるように設置され、
　 該２以上のアクティブマトリクス液晶表示装置のうち該光源側のものを入力用とし、その入力用のアクティブマトリクス液晶表示装置に所定の階調レベルを持つ入力情報をカラー表示し、該入力用のアクティブマトリクス液晶表示装置の他のアクティブマトリクス液晶表示装置を演算用とし、その演算用のアクティブマトリクス液晶表示装置に所定の階調レベルを持つ該演算結果情報をカラー表示するようにした光演算処理装置。」
　
２．刊行物記載の発明
　
　これに対して、当審における拒絶の理由で引用された、本願出願前に頒布された特開平０４−０１５６２８号公報（平成４年１月２１日出願公開、以下、「刊行物１」という。）には、次のような記載がある。
　
イ）「産業上の利用分野
　本発明は、光デジタル演算、光アナログ演算または光ニューロコンピューティングを行う光演算装置および光演算装置の組立方法に関するものである。
　従来の技術
　光演算装置として、空間変調素子（例えば、アクティブマトリックス型の液晶表示装置）を複数個重ね合わせ、さらにこれらの透過光を受ける受光素子アレイを整合させて、光の積演算を並列に行うことが提案されている。」（公報１頁右下欄１１行〜２頁左上欄２行） 
　
ロ）「光並列演算を実行する光演算装置は、例えば、液晶表示装置のような複数の画素からなる空間光変調素子と演算結果を受ける受光素子アレイとからなる。」（公報２頁左上欄８〜１１行） 
　
ハ）「第１図に第１の発明の光演算装置101の一例を示す。この光演算装置101は、発光素子102、２つの空間光変調素子103、104および受光素子105からなる。これらの素子は、２次元マトリックス状にアレイ化されているものとする。空間光変調素子103、104に、それぞれ２次元の透過率分布パターンを表示するものとすると、この光演算装置101は、発光素子102の光強度パターンに空間光変調素子103、104の透過率パターンがかけ算され、その演算結果が受光素子105に出力されるというものである。発光素子102は、例えば、発光ダイオードアレイ、または面発光ダイオードあるいは蛍光灯などの光を散乱させた光源を用いてもよく、受光素子105は、一例として、ホトダイオードアレイやホトトランジスタアレイ、または非晶質シリコンなどの光導電材料をアレイ状に形成したものである。空間変調素子103、104は、例えば、ガラスまたは溶融石英などの透明誘電体基板上に形成された液晶表示素子、銀塩を用いた写真乾板、金属の蒸着や着色されたポリマーの塗布によって形成されたマスクパターン…などの電気光学材料である。」（公報３頁左上欄１３行〜右上欄１４行） 
　
ニ）第１図には、発光素子102、２つの空間光変調素子103、104および光導電材料をアレイ状に形成した受光素子105の順に配され、かつ、各素子がそれぞれ複数の画素からなり、各画素が重なるように設置されることを示している。
　
　これらの記載によれば、刊行物１には、次の発明（以下、「刊行物１記載の発明」という。）が記載されているものと認められる。
　
　「発光素子102、２つの空間光変調素子103、104（例えば、アクティブマトリックス型の液晶表示装置）および光導電材料をアレイ状に形成した受光素子105の順に配され、これらの素子は、２次元マトリックス状にアレイ化され、かつ、各素子がそれぞれ複数の画素からなり、各画素が重なるように設置される光演算装置において、
　複数の画素から空間変調素子103、104を重ね合わせ、さらにこれらの透過光を受ける受光素子105を整合させて、発光素子102の光強度パターンに空間光変調素子103、104の透過率パターンがかけ算され、その演算結果が受光素子105に出力される光演算装置。」
　
　また、当審における拒絶の理由で引用された、本願出願前に頒布された特開昭５８−２１０７６５号公報（昭和５８年１２月８日出願公開、以下、「刊行物２」という。）には、次のような記載がある。
　
イ）「第１図は本発明撮像表示装置の１個の画素の基本的な回路構成を示すブロック図である。 
 　第１図に於いて、１は薄膜トランジスタＴｒ１、Ｔｒ２等を用いた電子的スイッチング素子、２は例えばＣＣＤ、ＢＢＤ、光導電体、フォトダイオード、フォトトランジスタ、ＭＯＳトランジスタ、ＭＯＳキャパシタ等の光起電力効果や光導電効果を用いて光信号を電気信号に変換する光電変換素子、３は液晶、エレクトロクロミック、エレクトロルミネセンス等の電気光学効果を用いて電気信号を光の透過変化や色調の変化等の光信号に変換する電気光学素子、４１、４２は信号配線、５は走査配線である。
　薄膜トランジスタＴｒ１のドレインには撮影した光の情報を画像出力信号Ｖｙ１１として送り出すための信号配線４１を接続し、薄膜トランジスタＴｒ２には表示部への画像の表示信号Ｖｙ１２を印加するための信号配線４２を接続する。また薄膜トランジスタＴｒ１、Ｔｒ２のゲートには外部から印加されるクロックパルスに同調して、走査パルスＶｘ１を印加し各画素を点順次あるいは線順次走査するための走査配線５を接続する。本発明では撮像部と画像表示部とが一体化されているため、走査配線５を共通にして用いることができる。第１図に示すような画素を多数組み合せてマトリクスを形成し、画像の検出及び表示を同時に行うことが可能になる。」（公報２頁左下欄１５行〜３頁左上欄１行） 
　
ロ）「第１図に示される一つの画素の一実施例を示す断面図を第２図に、第２図の一方の透明基板６の平面図を第３図に示す。第２図は第３図のＡ−Ａ’の断面を示すものである。
　６及び７は…透明基板、８は…多結晶シリコン薄膜、９は薄膜トランジスタＴｒ１、Ｔｒ２のソース及びドレインとなる不純物領域、１０はシリコン酸化膜、１１は…光導電体、１２及び１３は…透明電極、１４は第１図の信号配線４１に相当するもので撮像用薄膜トランジスタＴｒ１のドレインと接続されるＡｌ等の第１の信号電極、１５は第１図の信号配線４２に相当するもので画像表示用薄膜トランジスタＴｒ２のドレインと接続されるＡｌ等の第２の信号電極、１６は第１図の走査配線に相当するもので撮像用薄膜トランジスタＴｒ１のゲート電極１７及び画像表示用薄膜トランジスタＴｒ２のゲート電極１８とにそれぞれ接続されるＡｌ等の走査電極、１９は撮像用薄膜トランジスタＴｒ１のソース電極、２０は画像表示用薄膜トランジスタＴｒ２のソース電極、２１は…絶縁膜、２２は…画像表示用薄膜トランジスタＴｒ２のソース電極に接続される金属電極、２４は…液晶層、２５は…配向膜である。
　第２図に於いて、撮影対象から入射した光３１は透明基板６を通して光導電体１１によって電気信号に変換され、薄膜トランジスタＴｒ１がＯＮになった時に画像出力信号Ｖｙ１１として送り出される。一方、画像表示信号Ｖｙ１２は、薄膜トランジスタＴｒ２がＯＮになった時に、反射板としての機能をも有する金属電極２２から液晶層２４に印加され、このときの光の変化量３２を透明基板７を通して観察者が画像として認識する。」（公報３頁左上欄７行〜左下欄４行） 
　
ハ）「第５図は本発明撮像表示装置の一実施例の全体構成図を示す。 
 　第５図に於いて、５０は第１図から第３図の一個の画素に対応するものであり、画素５０が６行６列のマトリクス状に並んで撮像表示装置を構成する。５１は水平走査回路、５２は撮像用垂直走査回路、５３は垂直画素切り替えスイッチ回路、５４は画像表示用垂直走査回路、５５はタイミング信号回路、５６は画像出力信号増幅回路、５７はラインメモリ、フレームメモリ等の記憶回路、５８は電気光学素子である液晶に交流電圧を印加するために１フィールド毎に画像表示信号を反転する反転回路である。」（公報４頁右下欄１４行〜５頁左上欄６行）
　
ニ）第２図には、撮像用薄膜トランジスタＴｒ１に撮像用薄膜トランジスタＴｒ１のソース電極１９と直列に光導電体１１が設けられることや、表示画面とは反対側から入射する撮影対象の光３１が示されている。
　
ホ）第３図には、撮像用薄膜トランジスタＴｒ１のソース電極１９と画像表示用薄膜トランジスタＴｒ２のソース電極２０に接続される金属電極２２が、画素毎に設けられた画素の大きさの電極であることが示されている。
　
　これらの記載によれば、刊行物２には、次の発明（以下、「刊行物２記載の発明」という。）が記載されているものと認められる。
　
　「１個の画素は、撮像用薄膜トランジスタＴｒ１と画像表示用薄膜トランジスタＴｒ２、光導電体１１、液晶層２４、信号配線４１、４２、走査配線５、撮像用薄膜トランジスタＴｒ１のソース電極１９と画像表示用薄膜トランジスタＴｒ１のソース電極２０に接続される金属電極２２で構成され、
　このような画素を多数組み合せてマトリクスを形成し、水平走査回路５１、撮像用垂直走査回路５２、垂直画素切り替えスイッチ回路５３、画像表示用垂直走査回路５４、タイミング信号回路５５、画像出力信号増幅回路５６、ラインメモリ、フレームメモリ等の記憶回路５７、電気光学素子である液晶に交流電圧を印加するために１フィールド毎に画像表示信号を反転する反転回路５８を備えた撮像表示装置において、
　撮像用薄膜トランジスタＴｒ１に撮像用薄膜トランジスタＴｒ１のソース電極１９と直列に光導電体１１が設けられ、撮像用薄膜トランジスタＴｒ１のソース電極１９と画像表示用薄膜トランジスタＴｒ２のソース電極２０に接続される金属電極２２が、画素毎に設けられた画素の大きさの電極であって、
　表示画面とは反対側から入射する撮影対象の光３１は透明基板６を通して光導電体１１によって電気信号に変換され、薄膜トランジスタＴｒ１がＯＮになった時に画像出力信号Ｖｙ１１として送り出され、画像表示信号Ｖｙ１２は、薄膜トランジスタＴｒ２がＯＮになった時に、反射板としての機能をも有する金属電極２２から液晶層２４に印加され、このときの光の変化量３２を透明基板７を通して観察者が画像として認識できる撮像表示装置。」
　
３．本願発明と刊行物記載の発明との比較
　
　刊行物１記載の発明の２次元マトリックス状にアレイ化されている「空間変調素子103、104（例えば、アクティブマトリックス型の液晶表示装置）」、「受光素子105」は、それぞれ、本願発明の「２以上のアクティブマトリクス液晶表示装置」、「光感応素子」に相当し、刊行物１記載の発明の「画素」は、本願発明の「絵素」に相当している。
　また、刊行物１記載の発明において、空間変調素子103、104（例えば、アクティブマトリックス型の液晶表示装置）の透過光は、空間変調素子103、104による演算結果であるから、空間変調素子103、104が例えば、アクティブマトリックス型の液晶表示装置であれば、その表示装置が該演算結果情報を表示していることは、明らかであり、刊行物１記載の発明の「発光素子102」の光強度パターンは光演算装置に対する入力情報を表示したものであるのに対して、本願発明の「光源」は「入力用のアクティブマトリクス液晶表示装置」が所定の階調レベルを持つ入力情報をカラー表示するためのものであるから、刊行物１記載の発明の「発光素子102」が本願発明の「光源」に相当するものを含んでいることも明らかである。
　さらに、刊行物１記載の発明において、光導電材料をアレイ状に形成した受光素子105は、複数の画素からなり、受光素子105に出力される演算結果は、受光素子105から電気信号として出力されるものであるから、刊行物１記載の発明の「その演算結果が受光素子105に出力される」と本願発明の「該アクティブ素子に絵素電極と並列又は直列に光感応素子が設けられ、更に外部からの該光感応素子への光照射により走査線および信号線に生じる信号の変化を検出する検出回路が設けられ、該検出回路で検出した信号に基づいた演算結果情報である光透過量で該当する絵素にカラー表示を行わせる液晶出力装置」とは、どちらも「各絵素に光感応素子が設けられ、演算結果情報を出力する出力装置」である点で一致し、
　刊行物１記載の発明において、受光素子105からみると、２つの空間光変調素子104、103、発光素子102の順に並んでいるから、刊行物１記載の発明の「発光素子102、２つの空間光変調素子103、104（例えば、アクティブマトリックス型の液晶表示装置）および光導電材料をアレイ状に形成した受光素子105の順に配され、かつ、各素子がそれぞれ複数の画素からなり、各画素が重なるように設置され」と本願発明の「該液晶出力装置の表示画面とは反対側に、２以上のアクティブマトリクス液晶表示装置と光源とが液晶出力装置からこの順に配され、かつ、該アクティブマトリクス液晶表示装置がその各絵素を該液晶出力装置の各絵素に重なるように設置され」とは、どちらも「２以上のアクティブマトリクス液晶表示装置と光源とが出力装置からこの順に配され、かつ、２以上のアクティブマトリクス液晶表示装置がその各絵素を出力装置の各絵素に重なるように設置され」る点で一致する。
　したがって、刊行物１記載の発明と本願発明とは、以下の点で一致ないし、相違する。
　
（１）一致点
　
　複数の絵素がマトリクス状に設けられ、各絵素に光感応素子が設けられ、演算結果を出力する出力装置を有し、
　２以上のアクティブマトリクス液晶表示装置と光源とが出力装置からこの順に配され、かつ、２以上のアクティブマトリクス液晶表示装置がその各絵素を出力装置の各絵素に重なるように設置され、
　該２以上のアクティブマトリクス液晶表示装置を演算用とし、その演算用のアクティブマトリクス液晶表示装置に該演算結果情報を表示するようにした光演算処理装置である点。
　
（２）相違点
　
相違点１
　本願発明では、複数の絵素と各絵素を駆動するためのアクティブ素子とがマトリクス状に設けられ、該アクティブ素子に信号を送る走査線および信号線が配線されていると共に、該アクティブ素子に絵素電極と並列又は直列に光感応素子が設けられ、更に外部からの該光感応素子への光照射により走査線および信号線に生じる信号の変化を検出する検出回路が設けられ、該検出回路で検出した信号に基づいた演算結果情報である光透過量で該当する絵素にカラー表示を行わせる液晶出力装置を有し、該液晶出力装置の表示画面とは反対側に、２以上のアクティブマトリクス液晶表示装置と光源とが液晶出力装置からこの順に配されるのに対し、刊行物１記載の発明では、複数の絵素がマトリクス状に設けられ、各絵素に光感応素子が設けられ、演算結果を出力する出力装置を有し、２以上のアクティブマトリクス液晶表示装置と光源とが出力装置からこの順に配されているが、検出回路がなく、出力装置がカラー表示を行わせる液晶出力装置でなく、該液晶出力装置の表示画面とは反対側に、２以上のアクティブマトリクス液晶表示装置と光源とが配されていない点。
　
相違点２
　本願発明では、２以上のアクティブマトリクス液晶表示装置のうち光源側のものを入力用とし、その入力用のアクティブマトリクス液晶表示装置に所定の階調レベルを持つ入力情報を表示するのに対し、刊行物１記載の発明では、該２以上のアクティブマトリクス液晶表示装置はすべて演算用とし、入力情報を表示する入力用のアクティブマトリクス液晶表示装置がない点。
　
４．相違点の検討
　
（１）相違点１について
　
　刊行物２記載の発明の「画素」、「撮像用薄膜トランジスタＴｒ１と画像表示用薄膜トランジスタＴｒ２」、「撮像用薄膜トランジスタＴｒ１のソース電極１９と画像表示用薄膜トランジスタＴｒ２のソース電極２０に接続される金属電極２２」、「信号配線４１、４２、走査配線５」、「光電変換素子２」、「撮像用垂直走査回路５２と画像出力信号増幅回路５６」が、それぞれ本願発明の「絵素」、「絵素を駆動するためのアクティブ素子」、「該アクティブ素子に信号を送る走査線および信号線」、「光感応素子」、「検出回路」に相当する。
　また、刊行物２記載の発明の「撮像表示装置」は、液晶層２４による光の変化量３２を観察者が画像として認識するから、本願発明の「液晶出力装置」に相当し、刊行物２記載の発明の「撮像用薄膜トランジスタＴｒ１のソース電極１９と画像表示用薄膜トランジスタＴｒ２のソース電極２０に接続される金属電極２２」は、画素毎に設けられた画素の大きさの電極であるから、本願発明の「絵素電極」に相当する。
　したがって、刊行物２記載の発明は次のようなものと認められる。
　
　「複数の絵素と各絵素を駆動するためのアクティブ素子とがマトリクス状に設けられ、該アクティブ素子に信号を送る走査線および信号線が配線されていると共に、該アクティブ素子に絵素電極と直列に光感応素子が設けられ、更に表示画面とは反対側からの該光感応素子への光照射により走査線および信号線に生じる信号の変化を検出する検出回路が設けられ、該検出回路で検出した信号に基づいた光透過量で該当する絵素に表示を行わせて、観察者が画像として認識できる液晶出力装置。」
　
　また、「カラー表示を行わせる液晶表示装置」が周知（必要ならば、電子情報通信ハンドブック、昭和６３年３月３０日発行、２９６頁、図２６の「アクティブマトリクス方式液晶パネルの構造例」、図２７の「アクティブマトリクス方式液晶パネルの駆動例」、２９６頁右欄の「カラーフィルタはカラー表示の場合に使用され，Ｒ（赤），Ｇ（緑），Ｂ（青）が配列される．」参照）であるから、刊行物１記載の発明において、観察者が画像として認識できるように演算結果情報を出力するために、演算結果が出力される「受光素子105」の代わりに、上記刊行物２記載の発明の「液晶出力装置」を用いてカラー表示を行わせるようにすることは、当業者が容易になし得ることである。
　そのようにした結果、液晶出力装置が表示画面とは反対側から光感応素子への光照射を受けるため、当然に、液晶出力装置の表示画面とは反対側に、２以上のアクティブマトリクス液晶表示装置と光源とが液晶出力装置からこの順に配される。
　
（２）相違点２について
　
　「光源を用いて所定の階調レベルを持つ入力情報をカラー表示するアクティブマトリクス液晶表示装置」が周知（必要ならば、電子情報通信ハンドブック、昭和６３年３月３０日発行、２９５〜２９６頁、図２６の「アクティブマトリクス方式液晶パネルの構造例」、図２７の「アクティブマトリクス方式液晶パネルの駆動例」、２９５頁右欄の「液晶ディスプレイには…反射形と，背面から光を入射させる透過形とがある．透過形の場合…専用の光源（バックライト，主として蛍光管）を使用する方式がある．」、２９６頁右欄の「図２６，図２７にアクティブマトリクス方式液晶パネルの例を示す．カラーフィルタはカラー表示の場合に使用され，Ｒ（赤），Ｇ（緑），Ｂ（青）が配列される．」参照）であるから、刊行物１記載の発明の光強度パターンを発生する「発光素子102」の代わりに上記周知のアクティブマトリクス液晶表示装置を用いることは、当業者が適宜なし得る設計事項にすぎない。
　そのようにした結果、当然に、２以上のアクティブマトリクス液晶表示装置のうち光源側のものが入力用となる。
　
５．むすび
　
　したがって、本願発明は、刊行物１記載の発明、刊行物２記載の発明及び上記各周知技術に基づいて当業者が容易に発明をすることができたものと認められるから特許法第２９条第２項の規定によって特許を受けることができない。
　よって、結論のとおり審決する。